(57)【要約】【課題】容器に収容した二種類の収容物を使用時に確実に混合することのできる用時混合装置を提供する。【解決手段】容器２と、キャップ３と、キャップ３が取り付けられた状態で容器２を保持するホルダー４とを備える。容器２は、閉鎖部２４によって第１収容部２１と第２収容部２２との間が閉鎖され（第１状態）、操作部２５を押し込み操作することにより閉鎖部２４が開放され、第１収容部２１と第２収容部とが連通される（第２状態）。ホルダー４は、操作部２５を露出させる第１開口部４２ａと、第１収容部と第２収容部とを連通させるために操作部２５を操作した状態（第２状態）で容器２を抜き取り可能な第２開口部４３ａを有する。また、ホルダー４は、操作部２５が第１状態にあるとき、キャップ３を係止する第１係止部４３ｂと、操作部２５を係止する第２係止部４３ｃとを備え、容器２を第２開口部４３ｃから抜き取り不能としている。【選択図】図２
2020192992.tif 000002
【特許請求の範囲】
【請求項１】
吐出口を有する容器と、前記吐出口を塞ぐように前記容器に取り付けられるキャップと、該キャップが取り付けられた状態で前記容器を保持するホルダーとを備え、
前記容器は、第１収容部と、第２収容部と、第１収容部と第２収容部とを連通させる連通部と、該連通部を閉鎖する閉鎖部と、第１状態から第２状態へ操作可能な操作部とを備え、
前記操作部が第１状態にあるとき前記閉鎖部によって前記連通部が閉鎖されて第１収容部と第２収容部とが隔離され、前記操作部が第２状態へ操作されると前記閉鎖部が開放されて前記連通部を介して第１収容部と第２収容部とが連通する、用時混合装置において、
前記ホルダーは、前記操作部を操作可能に露出させる第１開口部と、第１収容部と第２収容部とを連通させるために前記操作部が第２状態へ操作された状態の前記容器を前記ホルダーから抜き取るための第２開口部と、前記操作部が第１状態にあるときに第２開口部から抜き取り不能に前記キャップ及び前記操作部に係止する係止部とを備える、用時混合装置。
【請求項２】
請求項１に記載の用時混合装置において、
前記ホルダーは、前記容器が前記ホルダーに保持された状態で前記容器からの前記キャップの取り外しを抑止するよう前記キャップを押さえるキャップ押さえ部を備える、用時混合装置。
【請求項３】
請求項１又は２に記載の用時混合装置において、
前記第２収容部は、第１収容部の底側に配設され、前記連通部は、第１収容部と第２収容部との間に配設され、
前記操作部は、第２収容部の底側に配設され、前記第２状態は第１状態から上方へ押し込み操作された状態である、用時混合装置。
【請求項４】
請求項３に記載の用時混合装置において、
前記第１開口部は、第１状態にあるときも第２状態にあるときも前記操作部の底部の少なくとも一部及び周側部の少なくとも一部を露出させる開口形状を有する、用時混合装置。
【請求項５】
請求項４に記載の用時混合装置において、
前記第２開口部は、第１開口部のうち前記操作部の周側部の一部を露出させる開口部分に対向するよう開口形成されている、用時混合装置。
【請求項６】
請求項１〜５のいずれかに記載の用時混合装置において、
前記操作部の操作を阻止するように第１開口部を塞ぐカバーが除去可能に前記ホルダーに取り付けられている、用時混合容器。
【発明の詳細な説明】
【技術分野】
【０００１】
本発明は、容器に収容した二種類の収容物を使用時に混合する用時混合装置に関する。
【背景技術】
【０００２】
従来、二種類の液剤を分離して収容し、使用時に二種類の液剤を混合するための用時混合装置として、以下のものが開示されている。
【０００３】
例えば、特開平１１−３１９０２９号公報（特許文献１）は、仕切膜を介して上下に第１の収容室と第２の収容室とを形成する容器本体と、上向きの突部を有し、第２の収容室の底側を閉鎖する底部材とを備えた薬液容器を開示している。この薬液容器は、底部材を第１の収容室側へ移動させ、突部を介して仕切膜を突き破ることにより、第１の収容室と第２の収容室とを連通させ、それぞれの収容室に収容された二種類の薬液を混合することができる。また、従来の薬液容器は、薬液容器の容器本体に、底部材の移動をロックするスペーサを取外し可能に装着することも開示している。これにより、意図せず二種類の薬液が混合してしまうことを防止することができる。
【０００４】
しかしながら、スペーサを取外し可能に装着した薬液容器は、薬液を使用する際、底部材を移動させて二種類の薬液を混合する前に、底部材の移動をロックするスペーサを予め取り外す必要があるが、薬液容器の使用者によっては、二種類の薬液を混合することを忘れ、或いは、気づかずに、二種類の薬液を混合する前に第１の収容室に収容された薬液だけをノズル孔から吐出させて使用してしまうという問題があった。また、使用者によっては、未使用時にもかかわらず、ノズル孔に取り付けられたキャップを開けてしまうという問題もあった。
【先行技術文献】
【特許文献】
【０００５】
【特許文献１】特開平１１−３１９０２９号公報
【発明の概要】
【発明が解決しようとする課題】
【０００６】
そこで、本発明は、混合前に二種類の収容物のうち一方の収容物のみを吐出できないようにする用時混合装置を提供することを課題とした。
【課題を解決するための手段】
【０００７】
上記課題を解決するために、本発明は次のように構成した。すなわち、本発明に係る用時混合装置は、吐出口を有する容器と、吐出口を塞ぐように容器に取り付けられるキャップと、キャップが取り付けられた状態で容器を保持するホルダーとを備えていてよい。容器は、第１収容部と、第２収容部と、第１収容部と第２収容部とを連通させる連通部と、連通部を閉鎖する閉鎖部と、第１状態から第２状態へ操作可能な操作部とを備えていてよい。操作部が第１状態にあるとき閉鎖部によって連通部が閉鎖されて第１収容部と第２収容部とが隔離されることが好ましい。操作部が第２状態へ操作されると閉鎖部が開放されて連通部を介して第１収容部と第２収容部とが連通することが好ましい。ホルダーは、操作部を操作可能に露出させる第１開口部と、第１収容部と第２収容部とを連通させるために操作部が第２状態へ操作された状態の容器をホルダーから抜き取るための第２開口部と、操作部が第１状態にあるときに第２開口部から抜き取り不能にキャップ及び操作部に係止する係止部とを備えていてよい。
【０００８】
かかる構成により、用時混合装置は、操作部が第１状態にあるときキャップ及び操作部がホルダーの係止部に係止されているため、容器をホルダーから抜き取ることができない。このとき、キャップが取り付けられた状態で容器がホルダーに保持されており、ホルダーによってキャップが取り外されることを阻止できるので、混合前にキャップを取り外して第１収容部に収容された収容物のみで吐出されることがない。一方、第１開口部を介して操作部が第２状態へ操作されると、第１収容部と第２収容部とが連通部を介して連通され、且つ、容器がホルダーの第２開口部から抜き取り可能となる。したがって、用時混合装置は、第１収容部と第２収容部とが連通され、第１収容部に収容された収容物と第２収容部に収容された収容物とが混合された後でなければホルダーから容器を抜き取ることはできない。その結果、用時混合装置は、混合前に二種類の収容物のうち一方の収容物を吐出できないようにすることができる
【０００９】
好ましくは、用時混合装置は、ホルダーが、容器がホルダーに保持された状態で容器からのキャップの取り外しを抑止するようキャップを押さえるキャップ押さえ部を備えていてよい。
【００１０】
かかる構成により、ホルダーの第２開口部から容器を抜き取る前にキャップを取り外すことを確実に抑止することができる。すなわち、第１収容部の収容物と第２収容部の収容物とが混合される前に使用されることを抑止することができる。また、キャップ押さえ部は、ホルダーに保持された容器の軸方向への移動を係止し、操作部を第２状態に操作する前にホルダーの第２開口部から容器が脱落するのを防止している。
【００１１】
また、好ましくは、用時混合装置は、第２収容部が第１収容部の底側に配設されている。より好ましくは、連通部が第１収容部と第２収容部との間に配設されている。さらに、好ましくは、操作部が第２収容部の底側に配設されている。なお、第２状態は、第１状態から上方へ押し込み操作された状態である。
【００１２】
かかる構成により、ホルダーの第１開口部から露出した操作部を上方へ押し込むように操作すれば、操作部をスムーズに第１状態から第２状態に操作することができる。すなわち、第１収容部の収容物と第２収容部の収容物とを混合させ、ホルダーの第２開口部から容器を抜き取る動作をスムーズに行うことができる。加えて、操作部の上方への押し込み操作により、キャップ、容器及び操作部の全長を短くすることができ、これにより、操作部とホルダーとの係止が外れて操作部側を第２開口部から抜き取ることができる。
【００１３】
好ましくは、用時混合装置は、第１開口部が、第１状態にあるときも第２状態にあるときも操作部の底部の少なくとも一部及び周側部の少なくとも一部を露出させる開口形状を有していてよい。かかる構成により、操作部を第１状態から第２状態に操作するとき、操作部の底部から押し込み操作をスムーズに行うことができる。
【００１４】
好ましくは、用時混合装置は、第２開口部が、第１開口部のうち操作部の周側部の一部を露出させる開口部分に対向するよう開口形成されていてよい。かかる構成により、第１開口部から露出された操作部の周側部を第２開口部の方向へ押せば、第２開口部から容器をスムーズに抜き取ることができる。
【００１５】
好ましくは、用時混合装置は、操作部の操作を阻止するように第１開口部を塞ぐカバーが除去可能にホルダーに取り付けられていてよい。かかる構成により、用時混合装置の未使用時、例えば、用時混合装置の搬送時などにおいて、意図せず操作部を操作してしまうことを阻止できる。これにより、未使用時に、第１収容部の収容物と第２収容部の収容物とを混合してしまうことを防止することができる。
【発明の効果】
【００１６】
本発明に係る用時混合装置によれば、混合前に二種類の収容物のうち一方の収容物のみを吐出できないようにすることができる。
【図面の簡単な説明】
【００１７】
【図１】図１は、本実施形態に係る用時混合装置の構造を示す外観斜視図である。
【図２】図２は、図１に示す用時混合装置の構造を示す断面斜視図である。
【図３】図３は、操作部を操作した状態を示す断面斜視図である。
【図４】図４は、ホルダー蓋部の構造を示す外観斜視図である。
【図５】図５は、カバー及び係止片の構造を示す外観斜視図である。
【図６】図６は、カバー及び係止片の構造を示す断面斜視図である。
【図７】図７は、用時混合装置の充填組立方法を示す図である。
【図８】図８は、用時混合装置の充填組立方法を示す図である。
【図９】図９は、用時混合装置の充填組立方法を示す図である。
【発明を実施するための形態】
【００１８】
以下、本実施形態に係る用時混合装置を図面１〜９に基づいて具体的に説明する。図１に示すように、用時混合装置１は、基本的には、容器２と、容器２に取り付けられるキャップ３と、キャップ３が取り付けられた状態で容器２を保持するホルダー４とを備えている。なお、本実施形態では、容器に収容された二種類の液剤を使用時に混合する用時混合装置１について説明する。
【００１９】
容器２は、図２に示すように、第１収容部２１と、第２収容部２２と、連通部２３と、閉鎖部２４と、操作部２５と、吐出部として機能するノズル部材２６とを備えている。
【００２０】
第１収容部２１は、ノズル部材２６側（図示の上方）が開口した円筒状に形成されており、第１液（図示せず。）を収容している。なお、ノズル部材２６は、液剤を吐出させる吐出口２６ａを有しており、第１収容部２１の開口側を覆うように取り付けられる。このノズル部材２６は、液剤等を収容する吐出容器に用いられる周知のノズル部材２６であればよく、特定の構造に限定されるものではない。なお、第１収容部２１の形状は円筒状に限られず、第１液を収容できる形状であればよい。
【００２１】
第２収容部２２は、第１収容部２１の底側（図示の下方）に配設されている。第２収容部２２は、底側（図示の下方）が開口した円筒状に形成されており、第２液（図示せず。）を収容している。なお、第１収容部２１の形状は円筒状に限られず、第１液を収容できる形状であればよい。また、後述する操作部２５の操作の説明を容易にするため、円筒状に形成された第２収容部２２の側面を周側部２２ａと称する。
【００２２】
また、第２収容部２２の外径は、第１収容部２１の外径よりも小さい。この外径の差は、後述する操作部２５の周側部２５ｂの厚みと略同じである。これにより、後述するように操作部２５を第２収容部２２に取り付けた際、容器２全体の外周面が略同じ外径になるため、容器２をホルダー４に保持させやすくなる。言い換えれば、第１収容部２１の外径は、操作部２５の外径と略同じである。
【００２３】
連通部２３は、第１収容部２１と第２収容部２２との間に配設され、第１収容部２１と第２収容部２２とを連通させている。また、連通部２３は、第１収容部２１の内径又は第２収容部２２の内径よりも小さい内径の円筒状の連通路に形成されており、第１収容部２１と第２収容部２２の間でくびれを形成している。なお、連通部２３の形状は円筒状に限られず、第１収容部２１と第２収容部２２とを連通できる形状であればよい。
【００２４】
閉鎖部２４は、本実施形態では、連通部２３の内径よりも大きい直径を有する円盤状に形成された栓部材である。この栓部材は、栓本体と栓本体から延びるフランジとによって構成されている。栓本体は、連通部２３に液密に内嵌している。これにより、閉鎖部２４は、連通部２３を閉鎖し、第１収容部２１と第２収容部２２とを隔離している。フランジは、くびれが形成された連通部２３の第１収容部２１側で、第１収容部２１の底側内面に接している。これにより、閉鎖部２４が第２収容部２２側へ脱落することを防止している。
【００２５】
操作部２５は、後述するように第１状態から第２状態に操作可能である。操作部２５は、底部２５ａと周側部２５ｂとを備えた有底筒状に形成されている。操作部２５は、周側部２５ｂの開口側と第２収容部２２の底側とが対向するように、第２収容部２２の底側に取り付けられ、第２収容部２２の底側の開口を覆っている。また、操作部２５は、周側部２５ｂの内周面が第２収容部２２の周側部２２ａの外周面に対して摺動可能に取り付けられている。操作部２５の周側部２５ｂの内周面には内側に突出する係合凸部２５ｃが形成されている。第２収容部２２の周側部２２ａの外周面には、外側に突出する係合凸部２２ｂが形成されている。操作部２５が取り付けられた状態で、第２収容部２２の係合凸部２２ｂは操作部２５の係合凸部２５ｃの下側に位置する。係合凸部２２ｂと係合凸部２５ｃとは、互いに係合して操作部２５が第２収容部２２から脱落するのを防止している。
【００２６】
また、操作部２５は、底部２５ａの内面から鉛直方向に設けられた筒状のシール部２５ｄが形成されている。シール部２５ｄの外周面は、第２収容部２２の周側部２２ａの内周面に全周に亘って接している。そのため、第２収容部２２の周側部２２ａは、操作部２５の周側部２５ｂとシール部２５ｄとによって挟み込まれ、周側部２５ｂとシール部２５ｄの間で上下に摺動可能となっている。また、シール部２５ｄの外周面は、第２収容部２２の周側部２２ａの内周面に液密に接しているため、第２収容部２２の底側の開口を閉鎖し、第２収容部２２に収容された第２液が第２収容部２２の底側の開口から漏液することを防止している。また、操作部２５の周側部２５ｂとシール部２５ｄとの間に形成された溝部は、底側の溝幅が他の溝幅に比べて狭く形成されている。そのため、操作部２５が連通部２３の方向（図示の上方）へ押し込まれて操作された際、第２収容部２２の周側部２２ａ先端は、操作部２５の溝部の底側に嵌り込んで固定される。これにより、操作部２５は、連通部２３方向へ操作された状態を維持することができる。
【００２７】
このように操作部２５が連通部２３方向へ操作された状態を第２状態という。一方、操作部が押し込み操作されていない状態を第１状態という。このように、操作部２５は、押し込み操作によって、第１状態から第２状態に操作することができる。
【００２８】
また、操作部２５は、閉鎖部２４と連結するための連結部２５ｅを備えている。連結部２５ｅは、具体的にはシャフトであって、操作部２５の底部２５ａの内面から閉鎖部２４側（図示の上方）へ突設されている。閉鎖部２４は、連結部２５ｅの先端に形成された凹部に閉鎖部２４の底側に形成された凸部を嵌め込むことによって、操作部２５と連結されている。このように操作部２５と閉鎖部２４とを連結したことにより、閉鎖部２４は、操作部２５の押し込み操作に連動し、連結部２５ｅを介して上方に移動する。なお、連結部２５ｅの構成は、シャフトに限られず、閉鎖部２４と操作部２５とを連結でき、操作部２５に連動して閉鎖部２４も移動できれば、種々変更可能である。
【００２９】
このように容器２を構成したことにより、図２に示すように、操作部２５が操作されていない第１状態では、閉鎖部２４が連通部２３を閉鎖しているため、第１収容部２１の第１液と第２収容部２２の第２液とが混合されない。一方、図３に示すように、操作部２５を連通部２３の方向（図示の上方）へ押し込み操作をした第２状態では、連結部２５ｅを介して閉鎖部２４も上方に移動する。これにより、第１収容部２１と第２収容部２２との隔離が開放され、第１収容部２１の第１液と第２収容部２２の第２液とが混合される。
【００３０】
キャップ３は、吐出口２６ａを塞ぐようにノズル部材２６の上側に取り付けられている。なお、キャップ３は、液剤等を収容する吐出容器に用いられる周知のキャップ３であればよく、限定されるものではない。
【００３１】
ホルダー４は、図２及び図３に示すように、キャップ押さえ部４１と、底部４２と、周側部４３とを備えた筒状に形成されている。ホルダー４は、キャップ３を取り付けた状態で容器２を保持している。
【００３２】
キャップ押さえ部４１は、ホルダー４の天板である。キャップ押さえ部４１の下面は、キャップ３の上面を押さえている。これにより、容器２をホルダー４から抜き取る前にキャップ３が取り外されることを抑止している。すなわち、操作部２５の操作によって第１液と第２液とが混合する前の第１状態では、第１収容部２１の第１液のみをノズル部材２６から吐出することができない。また、キャップ押さえ部４１は、ホルダー４に保持された容器２が軸方向に移動できないように係止している。そのため、キャップ押さえ部４１は、液剤の使用前に、容器２がホルダー４から意図せず脱落することを防止している。
【００３３】
底部４２は、図示のように底部４２側を下方にして載置した場合、底部４２の内面が容器２の操作部２５の底面に接し、第２収容部２２側で容器２が軸方向に移動できないように係止している。また、底部４２は、第１開口部４２ａを有している。
【００３４】
第１開口部４２ａは、底部４２の少なくとも一部を開口させて形成されている。第１開口部４２ａは、操作部２５の底部２５ａの少なくとも一部を露出させている。これにより、使用者は、ホルダー４の外側から第１開口部４２ａに指を入れて操作部２５を操作することができる。また、第１開口部４２ａは、ホルダー４の周側部４３の少なくとも一部をも開口させた開口形状を有しており、操作部２５が第１状態にあるときも第２状態にあるときも、操作部２５の周側部２５ｂの少なくとも一部を露出させている。このように、第１開口部４２ａは、底部４２から周側部４３にかけて開口した一体的な開口形状を有している。そのため、第１開口部４２ａは、操作部２５を第１状態から第２状態に操作するとき、操作部２５の押し込み操作を操作部２５の底部２５ａからスムーズに行うことができる。なお、ホルダー４の底部４２は、第１開口部４２ａを除いて操作部２５の底部２５aを保持している。そのため、ホルダー４の底部４２は、未使用時等に、意図せず操作部２５が移動し、第１液と第２液とが混合されることを抑制している。
【００３５】
周側部４３は、キャップ押さえ部４１と底部４２との間で筒状に形成されている。周側部４３は、容器２の外周面に対し、容器２が径方向に移動できないように係止している。また、周側部４３は、第２開口部４３ａと、第１係止部４３ｂと、第２係止部４３ｃとを備えている。
【００３６】
第２開口部４３ａは、第１開口部４２ａのうち操作部２５の周側部２５ａの少なくとも一部を露出させる開口部分に対して軸方向から見て径方向に対向するよう開口形成されている。第２開口部４３ａは、操作部２５が押し込み操作されていない第１状態では、容器２をホルダー４から抜き取れないが、容器２の操作部２５を連通部２３側に操作した第２状態では、容器２をホルダー４から抜き取り可能となるような大きさで開口形成されている。すなわち、第２開口部４３ａは、開口上端から開口下端までの軸方向の長さが、第１状態における容器２とキャップ３とを合わせた軸方向の長さよりも短い。
【００３７】
また、第２開口部４３ａは、図４に示すように、軸方向に延びる両端辺（図示左右の端辺）に沿って切欠き４３ｄが設けられている。また、この切欠き４３ｄに対応する容器２の表面には、窪み部２７が設けられている。これにより、使用者は、操作部２５を第２状態に操作したのち、片手の指を窪み部２７に当てて容器２を挟み込んで容器２の底側を引き出すことにより、容器２をホルダー４から容易に抜き取ることができる。
【００３８】
第１係止部４３ｂは、第２開口部４３ａの上側に形成され、キャップ３が第２開口部４３ａ側へ径方向に移動しないように係止している。
【００３９】
また、第２係止部４３ｃは、第２開口部４３ａの下側に形成され、操作部２５が第２開口部４３ａ側へ径方向に移動しないように係止している。第２係止部４３ｃは、操作部２５が第２状態に操作されると、第２係止部４３ｃによる操作部２５への係止が外れ、ホルダー４から容器２を抜き取ることができるように形成されている。そのため、第１状態でキャップ３とキャップ押さえ部４１との間に隙間がなく、且つ、操作部２５の底部２５ａとホルダー４の底部４２との間とに隙間がない場合には、第２係止部４３ｃの底部２５ａ内面からの高さは、操作部２５が押し込み操作されて連通部２３側に移動する距離よりも小さい。これらの隙間が僅かである場合にも同様である。なお、操作部２５が第１状態では容器２をホルダー４から抜き取り不能であり、操作部２５が第２状態に操作されて容器２をホルダー４から抜き取り可能となるように構成できれば、容器２及びキャップ３並びにホルダー４の間に隙間があってもよいが、搬送時等の振動によってホルダー４内で容器２及びキャップ３が揺動し、操作部２５が意図せず操作されることを防止するため、隙間がなく、或いは、隙間を僅かにした方が好ましい。
【００４０】
上述の通り、第１係止部４３ｂ及び第２係止部４３ｃは、それぞれ第２開口部４３ａの上側及び下側に形成されている。したがって、第２開口部４３ａの周方向の幅が広くなると、それに伴い第１係止部４３ｂ及び第２係止部４３ｃの周方向の幅も広くなる。
【００４１】
また、図４に示すように、キャップ押さえ部４１と、第１係止部４３ｂを含む上端側の周側部４３とは、ヒンジＡを介して底側の周側部４３から分離されたホルダー蓋部を形成している。ホルダー蓋部は、上端側の周側部４３と底側の周側部４３とのそれぞれに設けられた係止部４３ｅ、４３ｆによって係止される。上端側の周側部４３の係止部４３ｅは、底側の周側部４３の係止部４３ｆに対応した開口である。底側の周側部４３の係止部４３ｆは、底側の周側部４３の上側開口端部の内面から上方に突出して形成されている。係止部４３ｆは、突出部分の外側面に隆起部を備えている。ホルダー蓋部を閉じる際、係止片４３ｆの隆起部が係止片４３ｅの開口に嵌り込むことにより、ホルダー蓋部は、底側の周側部４３に固定される。また、ホルダー蓋部を閉じることにより、容器２及びキャップ３がホルダー４内で軸方向及び径方向に移動しないように係止することができる。ホルダー蓋部を開いた状態では、底側の周側部４３の上側開口と第２開口部４３ａとが連通されるため、ホルダー４に容器２及びキャップ３をより容易に収納することができる。なお、ホルダー蓋部は、上述の構成に限られず、キャップ押さえ部４１のみをホルダー蓋部とすることもできる。その場合、容器２及びキャップ３は、キャップ押さえ部４１を開いた状態で、その開口からホルダー４内に挿入することができ、キャップ押さえ部４１を閉じることによりホルダー４に保持される。
【００４２】
次に、用時混合装置１の使用手順について説明する。まず、使用者は、操作部２５を第１状態から第２状態に操作する。すなわち、使用者は、第１開口部４２ａから指を挿入し、操作部２５の底部２５ａに指を押し付けた状態で、操作部２５を連通部２３の方向に押し込む。そうすると、操作部２５は、図３に示すように、連通部２３側へと上方に移動する。この際、操作部２５を押し込むだけで、操作部２５をスムーズに操作することができる。また、例えば、指の腹を底部２５ａに押し付けて操作部２５を押し込む場合、指の長さ方向が操作部２５の操作方向に略直交する。これに対し、第１開口部４２ａは、第２状態においても操作部２５の周側部２５ａを露出させる開口部分を有するため、指による押し込み操作を阻害せず、スムーズに操作部２５を操作することができる。このように操作部２５を操作すると、操作部２５に連動して閉鎖部２４が上方に移動し、閉鎖部２４が開放されて第１収容部２１と第２収容部２２とが連通される。これにより、第１収容部２１の第１液と第２収容部２２の第２液とが混合される。また同時に、操作部２５は、第２係止部４３ｃによる径方向への係止が外れる。これにより、容器２及びキャップ３は、第２開口部４３ａを介して容器２の底側端部からホルダー４の外側へ抜き取ることができる。その後、容器２からキャップ３を取り外すことにより、液剤を使用することができる。また、第２開口部４３ａは、第１開口部４２ａのうち操作部２５の周側部２５ｂの一部を露出させる開口部分に対して軸方向から見て径方向に対向するよう開口形成されているため、第１開口部４２ａから露出された操作部２５の周側部２５ｂを第２開口部４３ａの方向へ押せば、第２開口部４３ａから容器２をスムーズに抜き取ることができる。なお、操作部２５を第２状態へ操作しても、キャップ３と第１係止部４３ｂとの径方向の係止状態は維持されているが、容器２の底側を第２開口部４３ａから引き出した後にホルダー４に対して斜め下方に容器２を引き出すことで、ホルダー４から容器２及びキャップ３を引き抜くことができる。
【００４３】
このように、用時混合装置１は、操作部２５を連通部２３側へ操作していない第１状態では、キャップ３がホルダー４のキャップ押さえ部４１と第１係止部４３ｂとによって係止され、操作部２５がホルダー４の底部４２と第２係止部４３ｃとによって係止されているため、容器２及びキャップ３をホルダー４から抜き取ることができない。一方、操作部２５を連通部２３側に操作した第２状態では、第２係止部４３ｃによる操作部２５への係止が外れ、第２開口部４３ａから容器２及びキャップ３を抜き取ることができる。この際、操作部２５を連通部２３側へ操作するのと同時に、閉鎖部２４が開放されるため、第１液と第２液とが混合される。したがって、用時混合装置１は、第１液と第２液とが混合された後でなければホルダー４から容器２及びキャップ３を抜き取ることができない。その結果、用時混合装置１は、第１液と第２液とが混合される前に、第１液のみを吐出できないようにすることができる。
【００４４】
また、ホルダー４には、操作部２５の操作を阻止するためのカバー４４を設けてもよい。図５及び図６に示すように、カバー４４は、第１開口部４２ａのうち操作部２５の底部２５ａを露出させる開口部分を覆うように設けられている。カバー４４は、１又は複数の接続片４４ａによって底部４２に接続されている。接続片４４ａは、カバー４４を所定の圧力で押圧することにより破断される。これにより、カバー４４をホルダー４から除去することができ、操作部２５を操作することができる。なお、カバー４４は、周側部２５ｂを露出させる第１開口部４２ａの開口部分側で、周側部２５ｂの外周面から水平方向に突出している。そのため、この突出部分を下方に押せば、容易にカバー４４を除去することができる。
【００４５】
また、ホルダー４には、操作部２５の操作を阻止するための係止片４５を設けてもよい。図５及び図６に示すように、係止片４５は、ホルダー４の周側部４３をコ字状に切り欠き、この切り欠きに囲まれた領域のホルダー４内面に隆起部が設けられている。係止片４５の隆起部は、図６に示すように、操作部２５の周側部２５ｂの開口端部を係止している。操作部２５を所定の圧力で連通部２３側へ押し込むと、係止片４５は、周側部２５ｂが係止片４５の隆起部を外側に押してホルダー４の外側に撓む。そして、周側部２５ｂが係止片４５の内側に入り込んで、操作部２５と係止片４５との係止が外れる。これにより、液剤の使用前の状態では、操作部２５の操作を阻止しつつ、使用時には、操作部２５を所定の圧力で押し込むことにより、操作部２５を操作することができる。なお、図５及び図６に示すカバー４４または係止片４５は、いずれか一方のみを構成してもよく、また、両方とも構成してもよい。また、カバー４４または係止片４５は、これらの構成に限定されず、使用前に操作部２５の操作を阻止できれば、種々変更可能である。
【００４６】
また、この係止片４５は、容器２がホルダー４に対して下方に移動するような場合、係止片４５の隆起部上端面が、連通部２３のくびれによって形成された第１収容部２１底面の周端部に接する位置にある。すなわち、係止片４５の隆起部上端面は、第１収容部２１及び第２収容部２が下方に移動しないように係止している。これにより、操作部２５が底面４２の内面又はカバー４４の内面に当接した状態で、第１収容部２１と第２収容部２２とが意図せず下方に移動し、閉鎖部２４が開放されて第１液と第２液が混合されることを防止することができる。
【００４７】
（変形例）
上述の構成では、第２収容部２２の外径を第１収容部２１の外径よりも小さく形成したが、第２収容部２２の外径を第１収容部２１の外径と同じにしてもよく、また、第２収容部２２の外径を第１収容部２１の外径よりも大きくしてもよい。なお、第２収容部２２の内径と第１収容部２１の内径においても同様である。
【００４８】
連通部２３は、上述のくびれによる構成に限定されない。例えば、第１収容部２１と第２収容部２２とを同じ内径の一体的な筒状体に形成し、その任意の境界を連通部２３としてもよい。その場合、連通部２３とする境界に、筒状体の内周に沿うフランジを設けてもよい。閉鎖部２４の栓部材は、栓部材のフランジが連通部２３のフランジの上面に載置され、第１収容部２１と第二２収容部２２とを閉鎖する。また、例えば、このような連通部２３のフランジを設けず、後述する仕切膜を閉鎖部２４として境界面に沿って設けてもよい。したがって、連通部２３は、第１収容部２１と第２収容部２２との境界であることも含まれる。
【００４９】
連通部２３は、上述の図示では、第１収容部２１及び第２収容部２２の軸方向中央より下側に配設されている。そのため、第１収容部２１の軸方向の幅は、第２収容部２１の軸方向の幅よりも大きい。連通部２３の配設位置は、これに限られず、第１収容部２１及び第２収容部２２の軸方向中央近傍に設けてもよく、また、軸方向中央よりも上側に設けてもよい。連通部２３の配設位置は、容器２に収容される収容物の種類などに応じて種々変更可能である。
【００５０】
閉鎖部２４の構成は、上述の栓部材に限られない。例えば、閉鎖部２４は、仕切膜で構成してもよい。その場合、操作部２５の底部２５ａの内面に連結部２５ｅではなく針部が設けられる。操作部２５を連通部２３側に押し込み操作すると、それ応じて針部も仕切膜の方向へ移動する。これにより、仕切膜を突き破ることができ、閉鎖部２４を開放することができる。なお、操作部２５を操作することによって閉鎖部２４を開放させるため構成は、これらに限られず、閉鎖部２４を開放することができれば、種々の構成に変更可能である。
【００５１】
操作部２５の構成は、上述の押し込み操作の構成に限られない。例えば、第２収容部２２の周側部２２ａの外周面と操作部２５の周側部２５ｂの内周面とにそれぞれネジ溝を設け、互いのネジ溝を嵌め合わせて、操作部２５を回転させながら連通部２３側へ操作することもできる。操作部２５を操作するための構成は、操作部２５を連通部２３側へ操作することができれば、種々の構成に変更可能である。
【００５２】
第２収容部２２には、粉末製剤を収容してもよい。この場合、上述のように閉鎖部２４を開放させると、第１収容部２１の第１液と粉末製剤とが混合される。なお、第１収容部２１に粉末製剤を収容し、第２収容部２２にその溶媒又は分散媒となる液体を収容してもよい。
【００５３】
ホルダー４は、上述の図示のようにケース型であってもよく、フレーム型であってもよい。例えば、以下のようなホルダー４の構成が考えられる。具体的には、ホルダー４は、筒状に形成され、キャップ３が径方向に移動しないように係止する第１係止部４３ｂと、筒状の第１係止部４３ｂの上側開口を覆い、キャップ３を取り付けた状態の容器２が軸方向に移動しないように係止するキャップ押さえ部４１と、筒状に形成され、操作部２５が径方向に移動しないように係止する第２係止部４３ｃと、筒状の第２係止部４３ｃの下側開口を覆い、キャップ３を取り付けた状態の容器２が軸方向に移動しないように係止する底部４２と、第１係止部４３ｂと第２係止部４３ｃとを軸方向に連結する棒状の連結体（周側部４３）とを備える構成とすることができる。フレーム型のホルダー４は、上述のケース型のホルダー４と同様に、キャップ３を取り付けた状態で容器２を保持する。この場合、連結体（周側部４３）を除く外周の開口が第２開口部４３ａとなる。筒状の第１係止部４３ｂ及び筒状の第２係止部４３ｃは、その周面全体を覆う必要はなく、周方向に延びるフレーム、例えば格子状のフレーム、或いは、リング状のフレームによって形成されてもよい。また、キャップ押さえ部４１と底部４２は、第１係止部４３ｂ又は第２係止部４３ｃの開口全体を覆う必要はなく、例えば、格子状のフレームのようにキャップ３の上面の一部を露出させてもよい。なお、底部４２及び第２係止部４３ｃの外周面には、上述の通り、第１開口部４２ａが形成され、フレーム間の開口を第１開口部４２ａとすることもできる。また、第１係止部４３ｂ及び第２係止部４３ｃは、ホルダー４の周側部４３であるとも言える。このように、ホルダー４は、操作部２５が第１状態では、キャップ３をキャップ押さえ部４１及び第１係止部４３ｂによって係止し、操作部２５を底部４２及び第２係止部４３ｃによって係止することにより、容器２及びキャップ３を抜き取り不能に保持でき、一方で、操作部２５を第２状態に操作することにより、容器２及びキャップ３を第２開口部４３ａから抜き取ることができるように構成すればよい。
【００５４】
また、ホルダー４の周側部４３に、容器２の外周面の少なくとも一部を露出させる第３開口部（図示せず。）を別途設けてもよい。第３開口部は、第２開口部４３ａに対向するように開口形成される。これにより、第３開口部から露出された容器２の外周面を第２開口部４３ａの方向へ押せば、第２開口部４３ａから容器２をスムーズに抜き取ることができる。なお、第３開口部は、ホルダー４から容器２を底側から抜き取ることを考慮すると、周側部４３の軸方向中央よりも下側に設けるのが好ましい。
【００５５】
次に、用時混合装置１の充填組立工程について、図７〜９を用いて具体的に説明する。
【００５６】
まず、図７に示すように、第１収容部２１と第２収容部２２との間に閉鎖部２４を取り付ける。閉鎖部２４は、第１収容部２１の開口側（図示の下方）から挿入され、連通部２３を覆うように、また、第１収容部２１と第２収容部２２の間に形成された連結部２３のくびれの第１収容部２１側に液密に接するように取り付けられる。そして、第２収容部２２の開口側を上方に向けた状態で、第２液（図示せず。）を第２収容部２２に充填する。
【００５７】
その後、第２収容部２２の開口側を覆うように操作部２５を取り付ける。この際、操作部２５は、その底部２５ａの内面から突出した連結部２５ｅを介し、閉鎖部２４に連結される。また、操作部２５は、上述のように、係合凸部２２ｂ、２５ｃが係合することによって第２収容部２２から脱落しない位置に取り付けられる。なお、図示しないが、閉鎖部２４は、操作部２５に連結されるまで、下方から支持材によって支持されている。
【００５８】
次に、図８に示すように、第１収容部２１の開口側を上方に向け、第１収容部２１に第１液（図示せず。）を充填する。この時、第１収容部２１と第２収容部２２とは、閉鎖部２４によって閉鎖されているため、第１液と第２液とが混合することはない。
【００５９】
次に、図９に示すように、第１収容部２１の開口側を覆うように、ノズル部材２６を取り付け、さらにその外側にノズル部材２６の吐出口２６ａを覆うようにしてキャップ３を取り付ける。
【００６０】
最後に、キャップ３を取り付けた状態の容器２をホルダー４に保持させる。容器２は、図示のようにホルダー４のホルダー蓋部を開いた状態で、容器２の底面側からホルダー４内に挿入される。容器２の底面側、すなわち、操作部２５の底部２５ａは、ホルダー４の底部４２の内面と周側部４３の内周面とによって位置決めされる。その後、ホルダー４のホルダー蓋部が閉じられることにより、容器２及びキャップ３は、ホルダー４に保持される。なお、ホルダー４に上述のカバー４４を設けた場合には、操作部２５の底部２５ａは、底部４２の内面とともにカバー４４の内面によっても位置決めされる。また、カバー４４を設けた場合には、操作部２５を操作する前に、接続片４４ａを破断させてカバー４４を除去する必要がある。また、ホルダー４に上述の係止片４５を設けた場合、操作部２５は、係合凸部２２ｂ、２５ｃによって第２収容部２２から脱落せず、かつ、周側部２５ｂの開口端部が係止片４５の隆起部によって係止されるように取り付けられる。
【符号の説明】
【００６１】
１      用時混合装置
２      容器
２１    第１収容部
２２    第２収容部
２３    連通部
２４    閉鎖部
２５    操作部
３      キャップ
４      ホルダー
４１    キャップ押さえ部
４２    底部
４２ａ  第１開口部
４３    周側部
４３ａ  第２開口部
４３ｂ  （第１）係止部
４３ｃ  （第２）係止部
【図１】
2020192992.tif 000003
【図２】
2020192992.tif 000004
【図３】
2020192992.tif 000005
【図４】
2020192992.tif 000006
【図５】
2020192992.tif 000007
【図６】
2020192992.tif 000008
【図７】
2020192992.tif 000009
【図８】
2020192992.tif 000010
【図９】
2020192992.tif 000011